(57)【要約】      （修正有）【課題】着脱可能なニッパー部により体型を矯正するボディスーツを提供する。【解決手段】ボディスーツは、前身片１０および後身片が形成するボディスーツ本体１を少なくとも含んでいる。ボディスーツの胸囲部分の両側に、着脱可能なニッパー部２１を設け、容易な着脱をユーザに提供する。また、胸部および体型を矯正する機能を強化するとともに、達成したい効果、或いは効果の発生、体型の変化、体の状況などに伴い、数段階のニッパー部２１できつさを微調整して体型を矯正する。【選択図】図１
0003104316.tif 000002
【実用新案登録請求の範囲】
【請求項１】
女性の体型を改善するのに用いられるボディスーツであって、
前身片と、
前記前身片の後方に接続され、前記前身片とともにボディスーツ本体を構成する後身片と、
前記ボディスーツの下方に形成される下半身部と、
前記前身片の上方に縫接されたブラジャー部とを備え、
前記ブラジャー部は、一組のカップ部を有し、一組のニッパー部の内側を前記ブラジャー部の左右両側へ縫接し、前記ニッパー部の外側は自由側に形成され、掛合部が前記ニッパー部の自由側上に設けられていることを特徴とするボディスーツ。
【請求項２】
前記前身片の中央には、中央補強片が縫接されることを特徴とする請求項１記載のボディスーツ。
【請求項３】
前記後身片の上方中央には、伸縮片が縫接されることを特徴とする請求項１記載のボディスーツ。
【請求項４】
前記掛合部は、
一組のカギホックと、
前記カギホックとともに左右両側の前記ニッパー部の自由側上へ設置し、前記カギホックとともに掛止する少なくとも一組のホック孔と、
を有することを特徴とする請求項１記載のボディスーツ。
【請求項５】
前記掛合部のホック孔は、前記ニッパー部のきつさを微調整する数段階の掛止位置を有していることを特徴とする請求項４記載のボディスーツ。
【請求項６】
前記ニッパー部上にそれぞれ肩紐の一端が縫接され、前記肩紐の他方の一端が肩紐フックにより前記カップ部の上端に接続し、前記肩紐上に肩紐の長さを調整可能な長さ調整鐶が設けられていることを特徴とする請求項１記載のボディスーツ。
【請求項７】
前記ブラジャー部は、前記カップ部下方へ縫接された一組のワイヤーを有することを特徴とする請求項１記載のボディスーツ。
【請求項８】
前記下半身部は、
上側が前記ボディスーツの前身片の下方へ接続され、下側が自由側を形成する前まち片と、
上側が前記ボディスーツの後身片の下方へ接続され、下側が自由側を形成する後臀片と、
前記前まち片と前記後臀片の自由側上に設けられる掛合構造と、
を有することを特徴とする請求項１記載のボディスーツ。
【請求項９】
前記掛合構造は、
一組の雄ボタンと、
前記雄ボタンとともにそれぞれ前記前まち片と前記後臀片の自由側上へ設けられ、前記雄ボタンと掛止する少なくとも一組の雌ボタンと、
を有することを特徴とする請求項８記載のボディスーツ。
【請求項１０】
前記掛合構造の雌ボタンは、前記下半身部のきつさを微調整する数段階の掛止位置を有することを特徴とする請求項９記載のボディスーツ。
【考案の詳細な説明】
【技術分野】
【０００１】
本考案は、ボディスーツに関し、特に、着脱可能なニッパー部により従来のボディスーツの欠点を改善し、容易な着脱をユーザに提供し、胸部および体型を矯正する機能を強化するとともに、達成したい効果、或いは効果の発生、体型の変化、体の状況などに合わせて、数段階のニッパー部のきつさを微調整し、スタイルを矯正して体型を改善する。
【背景技術】
【０００２】
従来のボディスーツは、腹ベルト（ガードルを含む）および形を矯正するブラジャー部をそれぞれ設計したものか、或いは上述の腹ベルトおよび形矯正ブラジャー部を一体に縫製して設計されていた。従来のボディスーツの体型矯正機能は、完全に縫って固定された前身片および後身片に依っていた。体型を矯正するため、製造されていたものの多くは、前身片および後身片を縫って緊密に合わせているため、ユーザがボディスーツを着るとき、通常下から上に着衣し、力を入れて前身片および後身片を開いて押さえていなければ、比較的大きな臀部をボディスーツの胸部および腹ベルト部分に通すことができなかった。そのため、着脱するときのボトルネックとなり、ボディスーツを脱ぐことも同様にとても困難であった。前身片および後身片材料の弾性は、開いて押さえることにより弾性が徐々に失われ、体型を矯正する機能が喪失し、ボディスーツの使用寿命が短くなった。また、体型を整える機能は、前身片および後身片の弾性により達成することができるため、その効果は明らかでなかった。また、従来のボディスーツは全て微調整できない一つのサイズであったため、ユーザは個人の体型および得たい効果により、適合するサイズを選択しても、効果の発生、体型の変化または身体の状況によりきつさを微調整することができなかった。
【考案の開示】
【考案が解決しようとする課題】
【０００３】
上述した問題を解決するため、本考案の目的は女性の体型を改善するボディスーツを提供することにある。本考案の特徴は、従来のボディスーツの胸囲部分の両側に、カギホックにより着脱可能なニッパー部を加えることにより、ユーザが容易に着脱をおこなえるようにする。そして胸部および体型を矯正する機能を高めて、得たい効果、或いは効果の発生、体型の変化、身体状況などに合わせ、数段階のニッパー部のきつさを微調整する。
【課題を解決するための手段】
【０００４】
上述の目的を達成するために、本考案のボディスーツは、少なくとも前身片および後身片からなるボディスーツ本体と、前身片中央に縫接した中央補強片と、後身片の上方中央に縫接した伸縮片とを少なくとも備える。前身片の上方に縫接したブラジャー部は、一組のカップ部と、カップ部の左右両側にそれぞれ縫接された一組のニッパー部と、ニッパー部の自由側上に設けられた掛合部とを備える。掛合部は、左右両側のニッパー部の自由側上に設けられた一組のカギホックおよび一組のホック孔を含み、カギホックとホック孔は互いに掛止することができる。左右両側のニッパー部上にそれぞれ肩紐を縫接し、肩紐のもう一端は肩紐フックによりカップ部の上端に接続され、肩紐上に長さ調整鐶を設けて肩紐の長さを調整することができる。ボディスーツの下方に形成される下身部は、前まち片、後臀片、そして前まち片と後臀片の自由側との上に設けられた掛合構造を含む。掛合構造は、前まち片と後臀片の自由側との上に設けられた一組の雄ボタンおよび一組の雌ボタンを含み、雄ボタンと雌ボタンは互いに掛止することができる。
【考案の効果】
【０００５】
本考案のボディスーツは、掛止したり外したりすることができるニッパー部を加えたため、ユーザは容易に着脱をおこなうことができる。そして、胸部および体型を矯正する機能を強化し、得たい効果、或いは効果の発生、体型の変化、身体の状況などにより、数段階のニッパー部のきつさを微調整し、スタイルを良くして体型を改善する。
【考案を実施するための最良の形態】
【０００６】
以下、図示する実施例にもとづいて本考案を詳細に説明する。
図１は、本考案の一実施例によるボディスーツを展開したときの正面図である。図２は、本考案の一実施例によるボディスーツを展開したときの背面図である。図３は、本考案の一実施例によるボディスーツを掛止したときの正面図である。図４は、本考案の一実施例によるボディスーツを掛止したときの背面図である。図５および図６は、本考案の一実施例によるボディスーツを着用した状態を示す正面図および背面図である。図７は、本考案の他の実施例によるボディスーツを示すとともに、肩紐を交差して掛ける方式により着用した状態を示す背面図である。
【０００７】
各図面に示すように、本考案の一実施例によるボディスーツは、前身片１０および後身片１２が形成するボディスーツ本体１を少なくとも含んでいる。ボディスーツ本体１の中央部分は、腹ベルトの機能を提供する部分に相当する。前身片１０の中央は中央補強片１１に縫接され、後身片１２の上方中央は伸縮片１３へ縫接され、中央補強片１１および伸縮片１３は、前身片１０および後身片１２に対応する引っ張り弾性と強度を増す。
【０００８】
前身片１０の上方をブラジャー部２へ縫接する。ブラジャー部２は、一組のカップ部２３および一組のワイヤー２０をカップ部２３の下方へ縫接し、一組のニッパー部２１の内側をブラジャー部２の左右両側へそれぞれ縫接し、ニッパー部の外側を開放された自由側に形成し、掛合部２２をニッパー部２１の自由側上へ設置することを含む。掛合部２２は、左右両側のニッパー部２１の自由側上に設けられた一組のカギホック２２１および少なくとも一組のホック孔２２２を含み、カギホック２２１とホック孔２２２とは互いに掛止することができる。本考案のボディスーツを着衣または脱衣するとき、ニッパー部２１の掛止を解くと、もともとサイズが固定されていた胸囲は解放され、前身片１０および後身片１２は簡単に開くことができる。そのため、人体構造上、胸、腹部より大きい臀部は簡単にボディスーツ本体１へ通すことができる。ニッパー部２１を掛止すると、胸囲の側面および背面を取り囲み、胸部および体型を矯正する機能をさらに強化することができる。また、掛合部２２のホック孔２２２は、数段階の掛止位置を含み、ニッパー部２１のきつさを微調整することができる。ユーザは、得たい効果、或いは効果の発生、体型の変化、身体状況などにより、数段階のニッパー部のきつさを微調整することができる。
【０００９】
左右両側のニッパー部２１上に肩紐３０をそれぞれ縫接し、肩紐３０のもう一端を肩紐フック３２によりカップ部２３の上端に接続する。肩紐３０上に、肩紐の長さが調整できる長さ調整鐶３１を設け、肩紐３０によりボディスーツの位置を支えて、下に滑り落ちることを防ぐ。
【００１０】
ボディスーツ本体１の下方に下半身部５を形成し、下半身部５は、上側がボディスーツ本体１の前身片１０の下方へ接続する前まち片５０と、上側がボディスーツ本体１の後身片１２の下方へ接続する後臀片５１と、前まち片５０と後臀片５１の下方自由側へ位置する掛合部５２とを備える。掛合構造５２は、それぞれ前まち片５０および後臀片５１の自由側上に設けられた一組の雄ボタン５２１および少なくとも一組の雌ボタン５２２を含み、雄ボタン５２１および雌ボタン５２２は互いに掛止することができる。掛合構造５２を設置する目的は、着脱時に便利なだけでなく、ユーザがトイレを使用するときなどに、本考案のボディスーツを全部脱がずに、掛合構造５２を解除したり掛止したりすることができるからである。また、掛合部５２の雄ボタンは、数段階の掛止位置を含み、下半身部５のきつさを微調整することができ、ユーザは個人の体格により、数段階にきつさを微調整することができる。
【００１１】
本実施例のボディスーツを着るときは、ニッパー部２１の掛合部２２と下半身部５の掛合構造５２を解除して掛止し、下から上へ着る一般的な方法で着る。本考案のボディスーツを着た後、得たい効果、或いは効果の発生、体型の変化、身体状況などによりニッパー部のきつさを微調整し、ニッパー部２１の掛合部２２と下半身部５の掛合部５２とを掛止し、ボディスーツ肩紐３０の長さおよび各部の位置を適当に調整して着心地を快適にし、着衣を完了する。脱ぐときは、着るときと反対のステップにより容易に脱ぐことができる。
【００１２】
本考案の技術範囲内において、各種応用を実施することができる。例えば、各種構成要件は装飾レース６を含むことができる。また、本考案では、上述の実施例におけるボディスーツ中の各構成要件であるデザイン、花紋、色彩などの設計を変更することができる。体型矯正機能の弾性、快適な着心地の汗吸収通気性および材質の触感、長い耐性を有する信頼性および洗浄性などに合わせ、ボディスーツの各構成要件で用いる材質は同様または異なる各種材料にすることができる。図７に示すように、肩紐を容易に滑り落ちなくさせるため、肩紐を真っ直ぐ上へフックさせる方式ではなく、左肩紐フックを左ブラジャー部の上端へ接続し、右肩紐フックを右ブラジャー部の上端へ接続して、交差するフック方式を採用する。左肩紐フックと右カップ部上端を接続し、右肩紐フックと左カップ部上端を接続し、カップ部内に胸パッド固定袋を縫製し、固定または除去できる胸パッドなどを加える。これら以上述べたような応用実施例も、本考案の実用新案登録請求の範囲に含まれると解するべきである。
【図面の簡単な説明】
【００１３】
【図１】本考案の一実施例によるボディスーツを展開した正面図である。
【図２】本考案の一実施例によるボディスーツを展開した背面図である。
【図３】本考案の一実施例によるボディスーツを掛止した正面図である。
【図４】本考案の一実施例によるボディスーツを掛止した背面図である。
【図５】本考案の一実施例によるボディスーツを着用した状態を示す正面図である。
【図６】図３のボディスーツを着用した状態を示す背面図である。
【図７】本考案の他の実施例によるボディスーツであって、肩紐を交差して掛ける方式により着用した状態を示す背面図である。
【符号の説明】
【００１４】
１  ボディスーツ本体、１０  前身片、１１  中央補強片、１２  後身片、１３  伸縮片、２  ブラジャー部、２０  ワイヤー、２１  ニッパー部、２２  掛合部、２２１  カギホック、２２２  ホック孔、２３  カップ部、３０  肩紐、３１  長さ調整鐶、３２  肩紐フック、５  下半身部、５０  前まち片、５１  後臀片、５２  掛合部、５２１  雄ボタン、５２２  雌ボタン、６  装飾レース
【図１】
0003104316.tif 000003
【図２】
0003104316.tif 000004
【図３】
0003104316.tif 000005
【図４】
0003104316.tif 000006
【図５】
0003104316.tif 000007
【図６】
0003104316.tif 000008
【図７】
0003104316.tif 000009